(57)【特許請求の範囲】
【請求項１】
所定の形式で保存されている音楽データを再生する音楽再生手段と、
着信を検出する着信検出手段と、
前記着信時に発信元の電話番号を検出する電話番号検出手段と、
音楽データ再生中に着信があったときは音楽データの再生より通話を優先するように予め決められた電話番号を記憶する電話番号記憶手段と、
前記着信が検出され、さらに前記発信元の電話番号が検出された場合、前記検出された電話番号と前記電話番号記憶手段に記憶されている電話番号とを照合し、照合の結果、前記検出された電話番号と一致する電話番号が前記記憶されている電話番号中に存在した場合は、前記音楽再生手段に対し、前記音楽データの再生を停止する旨の指示を与え、
前記着信が検出され、さらに前記発信元の電話番号を示す発番通知が無い場合、前記音楽再生手段に対し、前記音楽データの再生を停止する旨の指示を与える制御手段とを備える通信端末装置。
【請求項２】
着信があったことを報知する報知手段を更に備え、
前記制御手段は、前記着信が検出され、さらに前記発信元の電話番号が検出された場合、前記検出された電話番号と前記電話番号記憶手段に記憶されている電話番号とを照合し、照合の結果、前記検出された電話番号と一致する電話番号が前記記憶されている電話番号中に存在した場合は、前記報知手段に対し、着信の報知を行う旨の指示を与え、
前記着信が検出され、さらに前記発信元の電話番号を示す発番通知が無い場合、前記報知手段に対し、着信の報知を行う旨の指示を与える請求項１記載の通信端末装置。
【請求項３】
前記音楽データの再生が停止したときに、前記音楽データ全体に対する停止時の位置を記憶する停止位置記憶手段を更に備え、
前記制御手段は、前記着信又は着信に対する応答が終了したときは、前記音楽再生手段に対し、前記停止時の位置から前記音楽データの再生を再開させる請求項１記載の通信端末装置。
【発明の詳細な説明】
【０００１】
【発明の属する技術分野】
本発明は、通信機能と音楽再生機能とを有する通信端末装置に関する。
【０００２】
【従来の技術】
従来、例えば、ＭＰ３プレイヤのように、所定の圧縮形式で圧縮された音楽データを復調し音声として出力する携帯型音楽再生装置が知られている。一方、近年の技術革新により、半導体メモリの大容量化、低価格化が図られると共に、携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）等の通信端末装置の小型化、多機能化が図られている。また、これらの通信端末装置は急速に普及しつつあり、相当数のユーザが見込まれている。
【０００３】
しかし、ユーザは、通信をするためには通信端末装置を、音楽を聴くためには携帯型音楽再生装置をぞれぞれ携帯しなければならず、両方を持ち歩くのは面倒であった。このため、両者を合体して音楽再生機能と通信機能との双方の機能を持った装置が望まれる。
【０００４】
【発明が解決しようとする課題】
一般に、通信端末装置では、発信元から電話番号の通知を受ける発番通知があった場合、所定のリスト中の電話番号と照合し、発信元の電話番号に対応した処理を行うことが可能である。すなわち、特定の相手とは通話をしないことが予め決められている、いわゆる「ブラックリスト」と、特定の相手と通話をすることが予め決められている、いわゆる「ホワイトリスト」を保持しておき、発信元の電話番号に応じて処理を行う。
【０００５】
一方、通信機能と音楽再生機能とを併せ持った通信端末装置では、音楽再生中に着信があることが想定される。音楽再生中に着信があった場合、ユーザが、着信に邪魔されずに音楽を聞きたいと思っている場合には、着信があっても着信音を発する等の報知は行わないで自動的に相手方に応答し、音楽の再生を継続できることが望ましい。また、ユーザが特定の発信元とは音楽の再生よりも通話を優先させたいと考えている場合には、特定の発信元からの着信があった場合は、音楽の再生を停止して報知を行うことが望ましい。このため、音楽再生中においても、発信元の電話番号に対応した処理をすることが必要となる。
【０００６】
本発明は、このような事情に鑑みてなされたものであり、音楽再生中に着信があったときは、特定の発信元からの着信に対してのみ報知を行う通信端末装置を提供することを目的とする。
【０００７】
【課題を解決するための手段】
請求項１記載の通信端末装置の発明は、所定の形式で保存されている音楽データを再生する音楽再生手段と、着信を検出する着信検出手段と、着信時に発信元の電話番号を検出する電話番号検出手段と、音楽データ再生中に着信があったときは音楽データの再生より通話を優先するように予め決められた電話番号を記憶する電話番号記憶手段と、着信が検出され、さらに発信元の電話番号が検出された場合、検出された電話番号と電話番号記憶手段に記憶されている電話番号とを照合し、照合の結果、検出された電話番号と一致する電話番号が記憶されている電話番号中に存在した場合は、音楽再生手段に対し、音楽データの再生を停止する旨の指示を与え、着信が検出され、さらに発信元の電話番号を示す発番通知が無い場合、音楽再生手段に対し、音楽データの再生を停止する旨の指示を与える制御手段とを備える構成を採る。
【０００８】
このように、音楽データ再生中に着信があったときは音楽データの再生より通話を優先するように予め決められた電話番号を記憶しておき、着信時に検出された電話番号と一致する電話番号が記憶されている電話番号中に存在した場合は、音楽データの再生を停止するので、ユーザが特定した発信元に対しては音楽の再生よりも通話を優先させることができる。また発番通知が無い場合は、ユーザは誰から着信があったのかが分からないため、着信を報知するなどの応答を行うことができる。
【０００９】
請求項２記載の発明は、請求項１記載の通信端末装置において、着信があったことを報知する報知手段を更に備え、制御手段は、着信が検出され、さらに発信元の電話番号が検出された場合、検出された電話番号と電話番号記憶手段に記憶されている電話番号とを照合し、照合の結果、検出された電話番号と一致する電話番号が記憶されている電話番号中に存在した場合は、報知手段に対し、着信の報知を行う旨の指示を与え、着信が検出され、さらに発信元の電話番号を示す発番通知が無い場合、報知手段に対し、着信の報知を行う旨の指示を与える構成を採る。
【００１０】
このように、音楽データ再生中に着信があったときは音楽データの再生より通話を優先するように予め決められた電話番号を記憶しておき、着信時に検出された電話番号と一致する電話番号が記憶されている電話番号中に存在した場合は、音楽データの再生を停止すると共に、所定の報知を行うので、ユーザが特定した発信元から着信があったことを確実にユーザに気づかせることができる。ここで、所定の報知とは、電話のベルの他、電子アラーム音、いわゆる「着メロ」と呼ばれる音楽を流すことが可能である。また、マナーモードにおける振動の提供、画面の点滅や所定の表示による報知も可能である。
【００１１】
請求項３記載の発明は、音楽データの再生が停止したときに、音楽データ全体に対する停止時の位置を記憶する停止位置記憶手段を更に備え、制御手段は、着信又は着信に対する応答が終了したときは、音楽再生手段に対し、停止時の位置から音楽データの再生を再開させる構成を採る。
【００１２】
このように、着信が終了し、又はユーザによる着信に対する応答が終了したときは、停止時の位置から音楽データの再生が再開されるため、通信機能から音楽再生機能への切り替えを自動的に行うことが可能となる。これにより、通信が終了したときに着信前に聞いていた音楽が自動的に再生されるので、ユーザは煩わしい操作をすることなく、引き続き音楽を聴くことができる。
【００１３】
【発明の実施の形態】
以下、本発明の実施の形態に係る通信端末装置について、図面を参照しながら説明する。通信端末装置としては、携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）等の端末装置が考えられるが、ここでは、ＰＨＳを例にとって説明する。
【００１４】
図１は、本発明の一実施の形態に係るＰＨＳの概略構成を示すブロック図である。本実施の形態に係るＰＨＳは、通信機能と音楽再生機能とを併せて有している。まず、通信機能に係る部分の構成について説明する。このＰＨＳ１は、アンテナ２で電波を送信又は受信する。無線部３は、受信時には、アンテナ２で捕らえられた所定の周波数の受信信号をダウンコンバートし、π／４シフトＱＰＳＫ（Ｑｕａｄｒａｔｕｒｅ  Ｐｈａｓｅ  Ｓｈｉｆｔ  Ｋｅｙｉｎｇ）信号を出力する。一方、送信時には、入力されたπ／４シフトＱＰＳＫ信号をアップコンバートし、所定の周波数の送信信号をアンテナ２に出力する。
【００１５】
ディジタル変復調部４は、受信時には、無線部３から入力されたπ／４シフトＱＰＳＫ信号に対して復調処理を施し、受信データを出力する。一方、送信時には、入力された送信データに対して変調処理を施し、π／４シフトＱＰＳＫ信号を出力する。
【００１６】
ＴＤＭＡ処理部５は、受信時には、ディジタル変復調部４から入力された受信データ、すなわち、複数スロットの時分割多重データより予め設定された下りスロットのデータを選択し、制御データ及び圧縮音声データに分離する。一方、送信時には、入力された圧縮音声データ、及び制御データを予め設定された上りスロットに多重する。
【００１７】
音声コーデック部６は、受信時には、ＴＤＭＡ処理部５から入力される音声圧縮データに対して復号化処理（誤り訂正処理を含む）を施して受信音声信号を出力する。一方、送信時には、入力された送信音声信号に対し、圧縮符号化処理（誤り訂正符号の付加処理を含む）を施して圧縮音声データを出力する。
【００１８】
低周波アンプ７は、音声コーデック部６から入力された受信音声信号を増幅し、スピーカ８は、低周波アンプ７の出力音声信号による音声を出力する。また、送話器としてのマイクロホン９は、音声信号を入力し、低周波アンプ１０は、マイクロホン９から入力された音声信号を増幅して音声コーデック部６に出力する。
【００１９】
制御部１１は、システム全体を制御する。また、制御部１１は、動作プログラム等が書き込まれているＲＯＭ（Ｒｅａｄ  Ｏｎｌｙ  Ｍｅｍｏｒｙ）１１ａと、無線通信を行う基地局に関する情報等を記憶するＲＡＭ（Ｒａｎｄｏｍ  Ａｃｃｅｓｓ  Ｍｅｍｏｒｙ）１１ｂとを備えている。
【００２０】
不揮発性メモリ１２は、電話帳データ等の各種のデータを記憶する。図２は、不揮発性メモリ１２に記憶される電話番号リストとしての電話帳を示す。図２中、「一般」とは、ユーザが登録した電話番号リストを意味する。また、「音楽再生中専用ホワイトリスト」とは、音楽データを再生しているときに着信があったとき、この音楽再生中専用ホワイトリストに存在する発信元とは音楽データの再生よりも通話を優先することがユーザによって予め決められた特定の発信元の電話番号リストを意味する。また、「通常ホワイトリスト」とは、音楽データの再生をしていないときに着信があった場合、このリストに存在する発信元とは通話を行うことがユーザによって予め決められた特定の発信元の電話番号リストである。すなわち、音楽データの再生中に着信があった場合、音楽データの再生を優先するか、通話を優先するかという基準で優先順位が決められている。音楽データ再生中に、通常ホワイトリスト内に記憶されている電話番号の発信元から着信があった場合は、音楽データの再生を優先し、音楽再生中専用ホワイトリスト内に記憶されている電話番号の発信元から着信があった場合は、音楽データの再生よりも通話を優先し、音楽データの再生を停止して報知する。また、「ブラックリスト」とは、このリストに存在する発信元とは通話を行わないことがユーザによって予め決められた特定の発信元の電話番号リストを意味する。
【００２１】
呼出音出力部１３は、着信時に制御部１１の制御によって所定の呼出音を出力する。この所定の呼出音とは、電話のベルの他、電子アラーム音、いわゆる「着メロ」と呼ばれる音楽を含む。呼出音出力部１３は、マナーモードにおける振動の出力も可能となっている。
【００２２】
操作部１４は、例えば、発信を指示したり、着信時に応答するための通話キー、通話を終了するための終話キー、電話番号を入力するためのテンキー、電話帳データを検索するためのキー等、ユーザが各種の操作を行うためのキーを備えている。
【００２３】
表示部１５は、例えば、液晶表示器等で構成され、モノクロ又はカラーによる画像の表示を行う。この表示部１５には、システムの状態の他に、電話帳データの検索で選択された電話帳データ、テンキーで入力される電話番号等が表示される。また、着信があったときに画面の点滅や所定の表示を行って、着信の報知を行うことも可能である。これらの不揮発性メモリ１２、呼出音出力部１３、操作部１４、及び表示部１５は、それぞれ制御部１１に接続されている。
【００２４】
次に、本実施の形態に係るＰＨＳの音楽再生機能に係る部分について説明する。半導体メモリ１６は、書き換え可能でリムーバブルな半導体記憶メディアである。例えば、フラッシュカード等が該当する。この半導体メモリ１６にＭＰ３（ＭＰＥＧ  Ａｕｄｉｏ  Ｌａｙｅｒ３）等の圧縮技術を用いて圧縮した音楽データを格納する。ＭＰ３の圧縮技術を用いてデータを圧縮すると、音質の劣化は僅かであるにもかかわらず、通常のＰＣＭ信号に比べておよそ１０分の１程度のデータ量にまで圧縮できるため、半導体メモリ１６等の小容量のメディアを用いても十分な音楽再生時間を確保することが可能である。
【００２５】
ＭＰ３デコーダ１７は、ＤＳＰ（Ｄｉｇｉｔａｌ  Ｓｉｇｎａｌ  Ｐｒｏｃｅｓｓｏｒ）等の半導体回路を備え、半導体メモリ１６に格納されている音楽データを読み出し、ＰＣＭ信号に伸長して出力する。
【００２６】
ヘッドホンアンプ１８は、ＤＡＣ（Ｄｉｇｉｔａｌ  ｔｏ  Ａｎａｌｏｇ  Ｃｏｎｖｅｒｔｅｒ）と、ローパスフィルタとを備えており、ＭＰ３デコーダ１７から入力されたＰＣＭ信号に対してディジタル／アナログ変換を行い、アナログ信号に復調する。また、復調されたアナログ信号を十分な音量で再生できる振幅値まで増幅して出力する。
【００２７】
ヘッドホンジャック１９は、外部出力端子である。すなわち、スピーカ８の代りに図示しないヘッドホン等の外部再生機器に信号を出力するための信号端子である。通常、ヘッドホンジャック１９にヘッドホン側の端子を接続した場合は、スピーカ８の駆動が停止するように構成されている。図１に示すように、ヘッドホンジャック１９には、低周波アンプ７の出力信号、及びヘッドホンアンプ１８の出力信号の双方が入力され、ユーザは、これらをヘッドホンで聞くことが可能である。なお、以上の半導体メモリ１６、ＭＰ３デコーダ１７、ヘッドホンアンプ、及びヘッドホンジャック１９は、制御部１１による制御を受ける。
【００２８】
次に、以上のように構成された本発明の一実施の形態に係るＰＨＳの動作について、図３〜図７を参照して説明する。なお、図２に示す「通常ホワイトリスト」は、以下、単に「ホワイトリスト」というものとする。まず、ユーザによって電源がＯＮとされ（ステップＳ１）、音楽データが再生されているかどうかを判断する（ステップＳ２）。音楽データが再生されていない場合は、着信があったかどうかを判断する（ステップＳ３）。着信が無い場合は、ステップＳ２へ移行し、着信があった場合は、発番通知があったかどうかを判断する（ステップＳ４）。この発番通知とは、発信元の電話番号が、発信元から通知されることをいう。ステップＳ４において、発番通知があった場合は図４の▲１▼に示すステップＳ５へ移行し、発番通知が無かった場合は図６の▲６▼に示すステップＳ２５へ移行する。
【００２９】
ステップＳ４において、発番通知があった場合は（図４▲１▼）、ホワイトリストを参照するかどうかを判断する（ステップＳ５）。ホワイトリストを参照しない場合は図５の▲３▼に示すステップＳ６へ移行し、ホワイトリストを参照する場合はステップＳ１５へ移行する。
【００３０】
ステップＳ５において、ホワイトリストを参照しない場合は（図５▲３▼）、ブラックリストを参照するかどうかを判断する（ステップＳ６）。ステップＳ６において、ブラックリストを参照する場合は、発番通知による電話番号とブラックリスト内の電話番号とを比較し（ステップＳ７）、発番通知による電話番号と一致する電話番号がブラックリスト内に存在するかどうかを判断する（ステップＳ８）。発番通知による電話番号と一致する電話番号がブラックリスト内に存在する場合は、一旦接続して回線を即切断する（ステップＳ９）。その後、ステップＳ２に移行する。
【００３１】
一方、ステップＳ６において、ブラックリストを参照しない場合、及びステップＳ８において、発番通知による電話番号と一致する電話番号がブラックリスト内に存在しない場合は、ユーザは通話することを考えているので、発番通知による電話番号と一致する電話番号が電話帳内に存在するかどうかを判断する（ステップＳ１０）。発番通知による電話番号と一致する電話番号が電話帳内に存在する場合は、ステップＳ１３に移行し、発番通知による電話番号と一致する電話番号が電話帳内に存在しない場合は、着信履歴にその電話番号を登録する（ステップＳ１１）。ここで、図２に示す電話帳の「一般リスト」にその電話番号を登録しても良い。次に、着信に対する応答を行い（ステップＳ１３）、切断する（ステップＳ１４）。その後、ステップＳ２に移行する。
【００３２】
ここで、「応答」とは、次のような動作を意味する。すなわち、▲１▼装置が自動的に応答メッセージを流し、相手のメッセージを録音する、▲２▼装置が自動的に応答メッセージを流し、切断後、ユーザが後で掛け直す、▲３▼全く応答しない、▲４▼音楽データの再生を停止し、着信を報知する、▲５▼着信を拒否する、といった方法である。ステップ１３では、ユーザは通話することを考えているので、▲４▼に示すように、音楽データの再生を停止し、着信を報知する方法を採ることが望ましい。ただし、これに限定されるわけではない。
【００３３】
一方、ステップＳ５において、ホワイトリストを参照する場合は、発番通知による電話番号とホワイトリスト内の電話番号とを比較し（ステップＳ１５）、発番通知による電話番号と一致する電話番号がホワイトリスト内に存在するかどうかを判断する（ステップＳ１６）。発番通知による電話番号と一致する電話番号がホワイトリスト内に存在しない場合は、図５の▲５▼に示すステップＳ９へ移行する。ホワイトリストとは、リスト内にある発信元の電話番号から着信があった場合にのみ応答することがユーザによって予め決められているものだからである。
【００３４】
ステップＳ１６において、発番通知による電話番号と一致する電話番号がホワイトリスト内に存在する場合は、着信の報知を行う（ステップＳ１７）。ここで、着信の報知とは、電話のベルの他、電子アラーム音、いわゆる「着メロ」と呼ばれる音楽を流すことが可能である。また、マナーモードにおける振動の提供、画面の点滅や所定の表示による報知も可能である。
【００３５】
次に、ユーザがオフフックしたかどうかを判断する（ステップＳ１８）。オフフックがされない場合は、発呼が継続しているかどうかを判断し（ステップＳ１９）、発呼が継続している場合は、ステップＳ１８における判断を繰り返し、発呼が継続していない場合は、図３の▲２▼に示すステップＳ２へ移行する。一方、ステップＳ１８において、ユーザによりオフフックがされた場合は、通話が行われ（ステップＳ２０）、通話が終了すると（ステップＳ２１）、図３の▲２▼へ移行する。
【００３６】
ステップＳ２において、音楽データの再生が行われている場合は、着信があったかどうかを判断する（ステップＳ２２）。着信が無ければステップＳ２に移行し、着信があった場合は、発番通知があったかどうかを判断する（ステップＳ２３）。発番通知が無い場合は、ユーザは、誰から着信があったのかが分からないため、応答を行う。すなわち、図６の▲４▼に示すステップＳ２４へ移行する。
【００３７】
発番通知が無い場合は（ステップＳ２３）、音楽データの再生を停止し（ステップＳ２４）、着信を報知する（ステップＳ２５）。ここで、音楽データの再生が停止したときに、音楽データ全体に対する停止時の位置を記憶しておく。また、着信報知の方法は、前述したようないくつかの方法のうち、いずれか一つの方法を採用することが可能である。
【００３８】
次に、ユーザがオフフックしたかどうかを判断する（ステップＳ２６）。オフフックがされない場合は、発呼が継続しているかどうかを判断し（ステップＳ２７）、発呼が継続している場合は、ステップＳ２６における判断を繰り返す。発呼が継続していない場合は、ステップＳ３０へ移行する。
【００３９】
一方、ステップＳ２６において、ユーザによりオフフックがされた場合は、通話が行われ（ステップＳ２８）、通話が終了すると（ステップＳ２９）、音楽データの再生を停止した時の位置から音楽データの再生を再開させる（ステップＳ３０）。その後、ステップＳ２へ移行する。
【００４０】
このように、着信が終了し（ステップＳ２７）、又はユーザによる着信に対する応答が終了したときは（ステップＳ２９）、停止時の位置から音楽データの再生が再開されるため、通信機能から音楽再生機能への切り替えを自動的に行うことが可能となる。これにより、通信が終了したときに着信前に聞いていた音楽が自動的に再生されるので、ユーザは煩わしい操作をすることなく、引き続き音楽を聴くことができる。
【００４１】
ステップＳ２３において、発番通知があったときは、発番通知による電話番号と音楽再生中専用ホワイトリスト内の電話番号とを比較し（ステップＳ３１）、発番通知による電話番号と一致する電話番号が音楽再生中専用ホワイトリスト内に存在するかどうかを判断する（ステップＳ３２）。発番通知による電話番号と一致する電話番号が音楽再生中専用ホワイトリスト内に存在する場合は、ステップＳ３８へ移行し、存在しない場合は、図７の▲７▼に示すステップＳ３３へ移行する。
【００４２】
図７に示すステップＳ３３において、ホワイトリストを参照するかどうかを判断し（ステップＳ３３）、ホワイトリストを参照しない場合は、図５の▲３▼に示すステップＳ６へ移行する。一方、ホワイトリストを参照する場合は、発番通知による電話番号とホワイトリスト内の電話番号とを比較し（ステップＳ３４）、発番通知による電話番号と一致する電話番号がホワイトリスト内に存在するかどうかを判断する（ステップＳ３５）。発番通知による電話番号と一致する電話番号がホワイトリスト内に存在しない場合は、図５の▲３▼に示すステップＳ６へ移行する。発番通知による電話番号と一致する電話番号がホワイトリスト内に存在する場合は、所定の応答を行い（ステップＳ３６）、応答が終了すると切断する（ステップＳ３７）。その後、ステップＳ２へ移行する。また、応答の方法は、前述したようないくつかの方法のうち、いずれか一つの方法を採用することが可能である。
【００４３】
ステップＳ３２において、発番通知による電話番号と一致する電話番号が音楽再生中専用ホワイトリスト内に存在する場合は、音楽データの再生を停止し、音楽データ全体に対する停止時の位置を記憶する（ステップＳ３８）。次に、着信を報知する（ステップＳ３９）。ここで、着信報知の方法は、前述したようないくつかの方法のうち、いずれか一つの方法を採用することが可能である。
【００４４】
このように、音楽データ再生中に着信があったときは音楽データの再生より通話を優先するように予め決められた電話番号を記憶しておき、着信時に検出された電話番号と一致する電話番号が記憶されている電話番号中に存在した場合は、音楽データの再生を停止すると共に、所定の報知を行うので、ユーザが特定した発信元から着信があったことを確実にユーザに気づかせることができる。ここで、所定の報知とは、電話のベルの他、電子アラーム音、いわゆる「着メロ」と呼ばれる音楽を流すことが可能である。また、マナーモードにおける振動の提供、画面の点滅や所定の表示による報知も可能である。
【００４５】
次に、ユーザがオフフックをしたかどうかを判断し（ステップＳ４０）、オフフックがされない場合は、発呼が継続しているかどうかを判断する（ステップＳ４１）。発呼が継続している場合は、ステップＳ４０における判断を繰り返し、発呼が継続していない場合は、ステップＳ４４へ移行する。一方、ステップＳ４０において、ユーザによりオフフックがされた場合は、通話が行われ（ステップＳ４２）、通話が終了すると（ステップＳ４３）、音楽データの再生が停止した位置から再生を再開する（ステップＳ４４）。
【００４６】
このように、着信が終了し（ステップＳ４１）、又はユーザによる着信に対する応答が終了したときは（ステップＳ４３）、停止時の位置から音楽データの再生が再開されるため（ステップＳ４４）、通信機能から音楽再生機能への切り替えを自動的に行うことが可能となる。これにより、通信が終了したときに着信前に聞いていた音楽が自動的に再生されるので、ユーザは煩わしい操作をすることなく、引き続き音楽を聴くことができる。
【００４７】
以上のように、本実施の形態に係るＰＨＳによれば、音楽データ再生中に着信があったときは音楽データの再生より通話を優先するように予め決められた電話番号を「音楽再生中専用ホワイトリスト」として記憶しておき、着信時に検出された電話番号と一致する電話番号が音楽再生中専用ホワイトリスト中に存在した場合は、音楽データの再生を停止するので、ユーザが特定した発信元に対しては音楽の再生よりも通話を優先させることができる。また、ユーザが特定した発信元以外の発信元に対しては音楽の再生を優先することができるため、ユーザは好みの音楽を楽しむことができる。
【００４８】
【発明の効果】
以上説明したように、本発明に係る通信端末装置は、通信機能と音楽再生機能とを有し、着信があったときは発信元の電話番号に対応した処理を行う通信端末装置において、所定の形式で保存されている音楽データを再生する音楽再生手段と、着信を検出する着信検出手段と、着信時に発信元の電話番号を検出する電話番号検出手段と、音楽データ再生中に着信があったときは音楽データの再生より通話を優先するように予め決められた電話番号を記憶する電話番号記憶手段と、着信が検出され、さらに発信元の電話番号が検出された場合、検出された電話番号と電話番号記憶手段に記憶されている電話番号とを照合し、照合の結果、検出された電話番号と一致する電話番号が記憶されている電話番号中に存在した場合は、音楽再生手段に対し、音楽データの再生を停止する旨の指示を与え、着信が検出され、さらに発信元の電話番号を示す発番通知が無い場合、音楽再生手段に対し、音楽データの再生を停止する旨の指示を与える制御手段とを備える構成を採る。
【００４９】
このように、音楽データ再生中に着信があったときは音楽データの再生より通話を優先するように予め決められた電話番号を記憶しておき、着信時に検出された電話番号と一致する電話番号が記憶されている電話番号中に存在した場合は、音楽データの再生を停止するので、ユーザが特定した発信元に対しては音楽の再生よりも通話を優先させることができる。また発番通知が無い場合は、ユーザは誰から着信があったのかが分からないため、着信を報知するなどの応答を行うことができる。
【図面の簡単な説明】
【図１】本発明の一実施の形態に係るＰＨＳの概略構成を示すブロック図である。
【図２】メモリ領域上のリストの例を示す図である。
【図３】上記実施の形態に係るＰＨＳの動作を示すフローチャートである。
【図４】上記実施の形態に係るＰＨＳの動作を示すフローチャートである。
【図５】上記実施の形態に係るＰＨＳの動作を示すフローチャートである。
【図６】上記実施の形態に係るＰＨＳの動作を示すフローチャートである。
【図７】上記実施の形態に係るＰＨＳの動作を示すフローチャートである。
【符号の説明】
１…ＰＨＳ、２…アンテナ、３…無線部、４…ディジタル変復調部、５…ＴＤＭＡ処理部、６…音声コーデック部、７…低周波アンプ、８…スピーカ、９…マイクロホン、１０…低周波アンプ、１１…制御部、１２…不揮発性メモリ、１３…呼出音出力部、１４…操作部、１５…表示部、１６…半導体メモリ、１７…ＭＰ３デコーダ、１８…ヘッドホンアンプ、１９…ヘッドホンジャック。
【図１】
0004360033.tif 000002
【図２】
0004360033.tif 000003
【図３】
0004360033.tif 000004
【図４】
0004360033.tif 000005
【図５】
0004360033.tif 000006
【図６】
0004360033.tif 000007
【図７】
0004360033.tif 000008